(57)【要約】【課題】  絶縁性に優れ、組み立てが簡単で、組み立て時の信頼性を確保しやすく、しかも小形化を図ることが出来る有極性ケーブルのアダプタ端子を得る。【解決手段】  有極性ケーブルのアダプタ端子は、有極性ケーブル４の被覆１１から導出された一対の極性を有する導電線１２ａ、１２ｂの長さを互いに異ならせると共に、接続用ケーブル５の被覆１３から導出された一対のリード線１４ａ、１４ｂの長さを互いに異ならせている。そして、短い導電線１２ａを長いリード線１４ａに、長い導電線１２ｂを短いリード線１４ｂにそれぞれ接続している。【選択図】      図２
2005069901.tif 000002
【特許請求の範囲】
【請求項１】
有極性ケーブル（４）の被覆（１１）から導出された一対以上の極性を有する導電線（１２ａ）、（１２ｂ）を接続用ケーブル（５）のリード線（１４ａ）、（１４ｂ）に接続してなる有極性ケーブルのアダプタ端子において、有極性ケーブル（４）の被覆（１１）から導出された一対の極性を有する導電線（１２ａ）、（１２ｂ）の長さを互いに異ならせると共に、接続用ケーブル（５）の被覆（１３）から導出された一対のリード線（１４ａ）、（１４ｂ）の長さを互いに異ならせ、短い導電線（１２ａ）を長いリード線（１４ａ）に、長い導電線（１２ｂ）を短いリード線（１４ｂ）にそれぞれ接続したことを特徴とする有極性ケーブルのアダプタ端子。
【請求項２】
導電線（１２ａ）、（１２ｂ）とリード線（１４ａ）、（１４ｂ）とがそれらの端部を互いに重ねて導体片（１５ａ）、（１５ｂ）をカシメることにより接続されていることを特徴とする請求項１に記載の有極性ケーブルのアダプタ端子。
【請求項３】
有極性ケーブル（４）の導電線（１２ａ）、（１２ｂ）、（１２ｃ）、（１２ｄ）と接続用ケーブル（５）のリード線（１４ａ）、（１４ｂ）、（１４ｃ）、（１４ｄ）とがそれぞれ二対以上あり、各対の極性の異なる導電線（１２ａ）、（１２ｂ）、（１２ｃ）、（１２ｄ）とリード線（１４ａ）、（１４ｂ）、（１４ｃ）、（１４ｄ）の長さが互いに異なっていると共に、別の対の導電線（１２ａ）、（１２ｂ）、（１２ｃ）、（１２ｄ）とリード線（１４ａ）、（１４ｂ）、（１４ｃ）、（１４ｄ）の長さも互いに異なっていることを特徴とする請求項１または請求項２に記載の有極性ケーブルのアダプタ端子。
【発明の詳細な説明】
【技術分野】
【０００１】
本発明は、熱電対素線を金属製のシースで覆い、このシースと内部の熱電対素線との間にマグネシア粉末等の無機絶縁材を充填してなるシース型熱電対等のように、極性を有する一対の導電線を包含したケーブルを接続用ケーブルのリード線に接続したアダプタ端子に関する。
【背景技術】
【０００２】
極性を有する一対の導電線を有するケーブルの代表的な熱電対ケーブルは、温度を電気的に測定するため、種々の分野で使用されている。例えば、アルメル線とクロメル線のように、材質の異なる一対の熱電対素線を金属製のシースと呼ばれるパイプ状の部材で覆い、このシースと内部の熱電対素線との間に無機絶縁材を充填し互いに絶縁してなる、いわゆる、シース型熱電対が使用されている。
【０００３】
このようなシース型熱電対の端末においては、シース内部に湿気が侵入することによるシース内部での絶縁破壊等の不都合が発生することを防止するため、シースの端部を気密にシールする必要がある。従来では、例えば樹脂等によって端末をシールすることが行われていた。特に、シース型熱電対を補償導線に接続するアダプタ端子においては、ステンレス製のスリーブの中でシース型熱電対と補償導線とを接続し、シースとスリーブを銀ロウ付けや溶接等の手段でシールすると共に、固定している。
【０００４】
図５は、このようなシース型熱電対のような極性を有するケーブル４と補償導線のような接続用のケーブル５とを接続したアダプタ端子の例を示す。
有極性ケーブル４は、シース等の被覆１１の端部からその中の一対の素線である導電線１２ａ、１２ｂが導出される。また、接続用ケーブル５もその被覆１３の端部からリード線１４ａ、１４ｂが導出される。有極性ケーブル４については、予めその導電線１２ａ、１２ｂの極性、例えばＡ極線とＢ極線とがある場合、それらがそれぞれの極性がどの導電線１２ａ、１２ｂに当たるのか区別がつくように、例えば着色による色分け等がなされる。また、接続用ケーブル５についても、それぞれのリード線１４ａ、１４ｂがどの導電線１２ａ、１２ｂに接続されるべきかインナー被覆の色分け等の区別がなされている。
【０００５】
そのうえで、有極性ケーブル４の各導電線１２ａ、１２ｂがそれぞれ接続用ケーブル５の所定のリード線１４ａ、１４ｂにロウ着け等の手段で接続される。さらに一対づつの導電線１２ａ、１２ｂとリード線１４ａ、１４ｂとの間にフッ素系樹脂等からなる絶縁板１７が挿入され、それら線間の短絡を防止している。
【０００６】
この導電線１２ａ、１２ｂとリード線１４ａ、１４ｂとの接続部の外側にステンレス等の金属製のスリーブ３が嵌め込まれ、この細くなった一端が有極性ケーブル４の被覆であるシース１１に溶接等の手段で封止、固定されている。さらにこのスリーブ４の内部にエポキシ樹脂等の絶縁材１６を充填し、硬化させている。
【特許文献１】特開平７−２３９２７７号公報
【特許文献２】特開平１１−１６６８６７号公報
【特許文献３】特開平１１−１６６８６８号公報
【発明の開示】
【発明が解決しようとする課題】
【０００７】
前記のようなアダプタ端子において、有極性ケーブル４の導電線１２ａ、１２ｂの色分けによる極性の識別は、有効な手段ではあるが、接続用ケーブル５のリード線１４ａ、１４ｂとの対応を確実にしないと、誤接続の可能性を排除することが出来ない。
また、有極性ケーブル４の導電線１２ａ、１２ｂと接続用ケーブル５のリード線１４ａ、１４ｂとを各々同じ長さとして接続すると、スリーブ３の中でそれらの接続部が近接してしまう。そのため、接続がしにくくなると共に、接続部が大きくなると、それらの間隔が十分とれず、絶縁性の低下を招きやすい。さらに、さらに接続部が全体として大きくなり、太径のスリーブ３を必要とする等の課題がある。
【０００８】
本発明は、前記従来のアダプタ端子における課題に鑑み、絶縁性に優れ、組み立てが簡単で、組み立て時の信頼性を確保しやすく、しかも小形化を図ることが出来る有極性ケーブルのアダプタ端子を提供することを目的する。
【課題を解決するための手段】
【０００９】
本発明では、前記の目的を達成するため、有極性ケーブル４の導電線１２ａ、１２ｂの極性識別と、それぞれの導電線１２ａ、１２ｂを接続すべき接続用ケーブル５のリード線１４ａ、１４ｂの対応表示のため、一対の極性を有する導電線１２ａ、１２ｂとリード線１４ａ、１４ｂの長さをそれぞれ異ならせた。そして、短い導電線１２ａを長いリード線１４ａに、長い導電線１２ｂを短いリード線１４ｂにそれぞれ接続している。
【００１０】
すなわち、本発明による有極性ケーブルのアダプタ端子は、有極性ケーブル４の被覆１１から導出された一対以上の極性を有する導電線１２ａ、１２ｂの長さを互いに異ならせると共に、接続用ケーブル５の被覆１３から導出された一対のリード線１４ａ、１４ｂの長さを互いに異ならせ、短い導電線１２ａを長いリード線１４ａに、長い導電線１２ｂを短いリード線１４ｂにそれぞれ接続したものである。
【００１１】
このような本発明による有極性ケーブルのアダプタ端子では、有極性ケーブル４の被覆１１から導出された一対の導電線１２ａ、１２ｂの長さを互いに異ならせることにより、その極性を識別することが可能である。そのため、色分け等に比べて極めて明瞭に導電線１２ａ、１２ｂの極性を識別することが出来る。さらに、導電線１２ａ、１２ｂの極性と対応する接続用ケーブル５のリード線１４ａ、１４ｂ側においても、その長さを互いに異ならせていることにより、対応する導電線１２ａ、１２ｂとリード線１４ａ、１４ｂとを誤り無く確実に接続することが出来る。
【００１２】
さらに、短い導電線１２ａを長いリード線１４ａに、長い導電線１２ｂを短いリード線１４ｂにそれぞれ接続していることにより、導電線１２ａ、１２ｂとリード線１４ａ、１４ｂの接続位置をそれらの長手方向にずらすことが出来る。これにより、導電線１２ａ、１２ｂとリード線１４ａ、１４ｂの接続部が多少大きくても、それらが互いに干渉することなく配置出来るので、有極性ケーブル４のアダプタ端子を全体として小さく収めることができる。例えば、導電線１２ａ、１２ｂとリード線１４ａ、１４ｂとがそれらの端部を互いに重ねて導体片１５ａ、１５ｂをカシメることにより接続した場合でも、小さな径のスリーブ３に収めることが出来る。しかも、導電線１２ａ、１２ｂとリード線１４ａ、１４ｂの接続位置がそれらの長手方向にずれることにより、その間の絶縁性を強化することも出来る。
【００１３】
有極性ケーブル４の導電線１２ａ、１２ｂ、１２ｃ、１２ｄと接続用ケーブル５のリード線１４ａ、１４ｂ、１４ｃ、１４ｄとがそれぞれ二対以上ある場合、各対の極性の異なる導電線１２ａ、１２ｂ、１２ｃ、１２ｄとリード線１４ａ、１４ｂ、１４ｃ、１４ｄの長さが互いに異ならせると共に、別の対の導電線１２ａ、１２ｂ、１２ｃ、１２ｄとリード線１４ａ、１４ｂ、１４ｃ、１４ｄの長さも互いに異ならせると、導電線１２ａ、１２ｂ、１２ｃ、１２ｄの極性だけでなく、対となる導電線１２ａ、１２ｂ、１２ｃ、１２ｄを、対毎に識別することが可能である。
【発明の効果】
【００１４】
このように、本発明による有極性ケーブルのアダプタ端子では、導電線１２ａ、１２ｂの色分け等に比べて極めて明瞭に導電線１２ａ、１２ｂの極性を識別することが出来る。そして、これらの導電線１２ａ、１２ｂを、接続用ケーブル５の対応するりード線１４ａ、１４ｂに誤り無く接続出来る。
さらに、アダプタ端子を全体として小さく収めることができると共に、絶縁性を強化することも出来る。
【発明を実施するための最良の形態】
【００１５】
本発明では、有極性ケーブルのアダプタ端子において、有極性ケーブル４の被覆１１から導出された一対の極性を有する導電線１２ａ、１２ｂと、接続用ケーブル５の被覆１３から導出された一対のリード線１４ａ、１４ｂの長さをそれぞれ互いに異ならせると共に、短い導電線１２ａを長いリード線１４ａに、長い導電線１２ｂを長いリード線１４ｂにそれぞれ接続した。これにより、有極性ケーブル４の導電線１２ａ、１２ｂの識別及びその接続用ケーブル５のリード線１４ａ、１４ｂとの対応関係を明確にし、さらにアダプタ端子の小型化、絶縁性強化を図ることを可能とした。
以下、このような本発明の実施例について、図面を参照しながら具体例を挙げて詳細に説明する。
【実施例１】
【００１６】
図１は、本発明による有極性ケーブルのアダプタ端子の一実施例の外観を示す。例えばシース型熱電対等の有極性ケーブル４と補償導線である接続用ケーブル５とがスリーブ３の中で接続されている。ケーブル５の末端で外装被覆から導出されたリード線６、６が導出され、その端部に測定機器への接続のための端子７、７が設けられている。
【００１７】
図２は、ケース１とその内部の絶縁材１６を切断して示したアダプタ端子の部分の拡大図である。有極性ケーブル４は、シース等の被覆１１の端部からその中の一対の素線である導電線１２ａ、１２ｂが導出される。この場合、導電線１２ａ、１２ｂの被覆１１の端部から導出された部分の長さが互いに異なっている。その長さの差は図２においてδである。
【００１８】
例えば、熱電対ケーブルでは、導電線１２ａ、１２ｂがアルメル線とクロメル線等のように材質が異なった素線からなり、極性を有する。この場合に、補償導線の冷接点側で測定される起電力の正負により、基準温度に対する温度差が測定される。従って、導電線１２ａ、１２ｂの極性とそれに対応する接続用ケーブル５のリード線１４ａ、１４ｂとは正確に対応して接続する必要がある。
【００１９】
他方、接続用ケーブル５もその被覆１３の端部からリード線１４ａ、１４ｂが導出される。この接続用ケーブル５も、そのリード線１４ａ、１４ｂの被覆１３の端部から導出された部分の長さが異なっている。その長さの差は、前記導電線１２ａ、１２ｂの被覆１１の端部から導出された部分の長さの差δとほぼ等しい。
【００２０】
この場合、有極性ケーブル４側の短い導電線１２ａと対応する接続用ケーブル５のリード線１４ａを長くし、有極性ケーブル４側の長い導電線１２ｂと対応する接続用ケーブル５のリード線１４ｂを短くする。そのうえで、有極性ケーブル４の短い導電線１２ａが接続用ケーブル５の長いリード線１４ａと、有極性ケーブル４の長い導電線１２ｂを接続用ケーブル５の短いリード線１４ｂに接続する。
【００２１】
図２で示す例では、有極性ケーブル４の導電線１２ａ、１２ｂと接続用ケーブル５のリード線１４ａ、１４ｂの端部をそれぞれ互いに重ね、その外側に導体片１５ａ、１５ｂを巻き、この導体片１５ａ、１５ｂを加圧、圧縮変形させてカシメることにより接続されている
さらに一対づつの導電線１２ａ、１２ｂとリード線１４ａ、１４ｂとの間にフッ素系樹脂等からなる絶縁板１７が挿入され、それら線間の短絡を防止している。
【００２２】
図２に示すように、有極性ケーブル４の導電線１２ａ、１２ｂと接続用ケーブル５のリード線１４ａ、１４ｂとは、それぞれに長短の差δがあるので、これらを前記のようにして接続することにより、それらの接続個所は有極性ケーブル４と接続用ケーブル５の長手方向にδだけずれる。これにより、カシメによる接続のため、導電線１２ａ、１２ｂとリード線１４ａ、１４ｂの接続部が多少大きくなっても、接続部が互いに干渉することなく配置出来る。さらに、導電線１２ａ、１２ｂとリード線１４ａ、１４ｂの接続個所をずらして離すことが出来ることにより、その間の絶縁性が強化される。
【００２３】
この導電線１２ａ、１２ｂとリード線１４ａ、１４ｂとの接続部の外側にステンレス等の金属製のスリーブ３が嵌め込まれ、この細くなった一端が有極性ケーブル４の被覆であるシース１１に溶接等の手段で封止、固定されている。さらにこのスリーブ４の内部にエポキシ樹脂等の絶縁材１６を充填し、硬化させている。
【実施例２】
【００２４】
図３は、本発明による有極性ケーブルのアダプタ端子の他の実施例のケース１とその内部の絶縁材１６を切断して示したアダプタ端子の部分の拡大図である。
この図３に示した実施例は基本的に図２より前述した実施例と同様であり、同じ部分は同じ符号で示してある。この図３に示した実施例が図２により前述した実施例と異なる点は、有極性ケーブル４の導電線１２ａ、１２ｂと接続用ケーブル５のリード線１４ａ、１４ｂとの接続手段にある。図２より前述した実施例では、有極性ケーブル４の導電線１２ａ、１２ｂと接続用ケーブル５のリード線１４ａ、１４ｂとがカシメにより接続されていたが、図３ではロウ付けにより接続したものである。ロウ付けによる接続は、カシメによる接続に比べて小さく出来る利点がある。他方、カシメによる接続は、ロウ付けによる接続に比べて、簡単な工具により接続出来る利点がある。
【実施例３】
【００２５】
図４は、本発明による有極性ケーブルのアダプタ端子の他の実施例のケース１とその内部の絶縁材１６を切断して示したアダプタ端子の部分の拡大図である。
この実施例における有極性ケーブルのアダプタ端子では、有極性ケーブル４の導電線１２ａ、１２ｂ、１２ｃ、１２ｄと接続用ケーブル５のリード線１４ａ、１４ｂ、１４ｃ、１４ｄとがそれぞれ二対ある。このような場合、各対の極性の異なる導電線１２ａ、１２ｂ、１２ｃ、１２ｄとリード線１４ａ、１４ｂ、１４ｃ、１４ｄの長さが互いに異ならせると共に、別の対の導電線１２ａ、１２ｂ、１２ｃ、１２ｄとリード線１４ａ、１４ｂ、１４ｃ、１４ｄの長さも互いに異ならせ。そうすると、導電線１２ａ、１２ｂ、１２ｃ、１２ｄの極性だけでなく、対となる導電線１２ａ、１２ｂ、１２ｃ、１２ｄを、対毎に識別することが可能である。有極性ケーブル４の導電線１２ａ、１２ｂ、１２ｃ、１２ｄと接続用ケーブル５のリード線１４ａ、１４ｂ、１４ｃ、１４ｄとがそれぞれ三対以上ある場合も同様である。
【図面の簡単な説明】
【００２６】
【図１】本発明による有極性ケーブルのアダプタ端子の一実施例の外観を示す側面図である。
【図２】同有極性ケーブルのアダプタ端子のケースとその内部の絶縁材を切断して示した部分拡大図断面図である。
【図３】本発明による有極性ケーブルのアダプタ端子の他の実施例のケースとその内部の絶縁材を切断して示した部分拡大図断面図である。
【図４】本発明による有極性ケーブルのアダプタ端子のさらに他の実施例のケースとその内部の絶縁材を切断して示した部分拡大図断面図である。
【図５】有極性ケーブルのアダプタ端子の従来例のケースとその内部の絶縁材を切断して示した部分拡大図断面図である。
【符号の説明】
【００２７】
４      有極性ケーブル
５      接続用ケーブル
１１    有極性ケーブルの被覆
１２ａ  有極性ケーブルの導電線
１２ｂ  有極性ケーブルの導電線
１３    接続用ケーブルの被覆
１４ａ  接続用ケーブルのリード線
１４ｂ  接続用ケーブルのリード線
１５ａ  導体片
１５ｂ  導体片
【図１】
2005069901.tif 000003
【図２】
2005069901.tif 000004
【図３】
2005069901.tif 000005
【図４】
2005069901.tif 000006
【図５】
2005069901.tif 000007